(57)【特許請求の範囲】
【請求項１】
予め設定されているプログラムに従った手順及び強弱度で施療動作を順次実行する自動コース施療機能を備えたマッサージ機において、自動コース中の施療動作全体についての強弱度を一括して下げる方向にシフトさせるスイッチを備えていることを特徴とするマッサージ機。
【請求項２】
予め設定されているプログラムに従った手順及び強弱度で施療動作を順次実行する自動コース施療機能を備えたマッサージ機において、自動コース中の施療動作全体についての強弱度を一括して上げる方向にシフトするスイッチを備えていることを特徴とするマッサージ機。
【請求項３】
予め設定されているプログラムに従った手順及び強弱度で施療動作を順次実行する自動コース施療機能を備えたマッサージ機において、自動コース中の施療動作全体についての強弱度を一括して下げる方向にシフトするスイッチと、自動コース中の施療動作全体についての強弱度を一括して上げる方向にシフトするスイッチとを備えていることを特徴とするマッサージ機。
【発明の詳細な説明】
【０００１】
【発明の属する技術分野】
本発明はマッサージ機、殊に予め設定されているプログラムに従った手順及び強弱度で施療動作を順次実行する自動コース施療機能を備えたマッサージ機に関するものである。
【０００２】
【従来の技術】
自動コース施療機能を備えたマッサージ機において、自動コース中の各施療動作は予め設定されたプログラムに基づく強弱度で実行されているが、この場合、人によっては強すぎてしまうことがある。
【０００３】
【発明が解決しようとする課題】
このために、自動コース中の個々の施療動作について、強弱調整スイッチの操作で弱めにしたり強めにしたりすることができるようにしたものが提供されているが、複数種の施療動作を切り替えて順次実行する自動コース施療においては、次の施療動作に移れば予め設定されている強弱度に復帰することから、再度強弱調整スイッチを操作しなくては好みの強弱度にならない。
【０００４】
本発明はこのような点に鑑み為されたものであり、その目的とするところは自動コース施療機能を備えたものにおいて、好みの強弱度の施療動作を容易に得ることができるマッサージ機を提供するにある。
【０００５】
【課題を解決するための手段】
しかして本発明は、予め設定されているプログラムに従った手順及び強弱度で施療動作を順次実行する自動コース施療機能を備えたマッサージ機において、自動コース中の施療動作全体についての強弱度を一括して下げる方向にシフトさせるスイッチを備えていることに第１の特徴を有しており、また自動コース中の施療動作全体についての強弱度を一括して上げる方向にシフトするスイッチを備えていることに第２の特徴を有し、さらに自動コース中の施療動作全体についての強弱度を一括して下げる方向にシフトするスイッチと、自動コース中の施療動作全体についての強弱度を一括して上げる方向にシフトするスイッチとを備えていることに第３の特徴を有している。
【０００６】
第１の特徴とするところによれば、強弱度を下げる方向にシフトするスイッチを操作すれば、自動コース施療動作全体について強弱度が下げられるために、個々の施療動作毎に強弱度を下げる操作を必要としないものであり、第２の特徴とするところによれば、強弱度を上げる方向にシフトするスイッチを操作すれば、自動コース施療動作全体について強弱度が上げられるために、個々の施療動作毎に強弱度を上げる操作を必要としないものであり、更に第３の特徴とするところによれば、強弱度を下げる方向と、強弱度を上げる方向とについて個々の施療動作毎に強弱度を変更する操作を必要としないものである。
【０００８】
【発明の実施の形態】
本発明の実施の形態の一例について説明する。図２は脚部１０と座部１１と背もたれ１２と足載せ部１３とを備えた椅子１の背もたれ１２内にマッサージ機構４を配したマッサージ機を示しており、背もたれ１２はリクライニング自在となっているとともに足載せ部１３も座部１１の先端に回動自在に連結されたものとなっている。図中２は上記マッサージ機構４に動作支持を与えるための操作器である。なお、マッサージ機４については、たとえば特公平１−４９４９６号公報などに示されたものが、以下に説明する操作器２に対応する
操作器２は、図３に示すように、自動コースマッサージのための選択スイッチ群５が設けられた前カバー２０を開けば、手動指示マッサージのためのスイッチ群が現れるようになっているもので、スイッチ群の操作によって指示を与えれば、操作器２内に配したマイクロコンピュータからなる制御回路が対応する信号をマッサージ機構４側の制御回路に送り、マッサージ機構４側の制御回路は受信した信号に応じて上記指示に対応する動作を行わせるものとなっている。
【０００９】
操作器２における前カバー２０に設けられたスイッチ群５は、「上半身」、「首・肩」、「腰」の３つのコースの選択と、各コースについて施療動作を弱めのものとする「やわらか」を指示するスイッチ５１〜５４からなり、前カバー２０で開閉されない部分には、入／切のスイッチ２５と停止スイッチ２６、足載せ台１３内部に配した振動マッサージ機のオンオフスイッチ２７とが配設されているとともに、オンオフ状態を表示する２つの発光ダイオード８０ａ，８０ｂと、自動コースマッサージのための選択スイッチ群５に対応する背後照明型の発光ダイオード８１〜８４と、人を模した絵との対応で首・肩部と背部と腰部とを示すことになる背後照明型の発光ダイオード８５〜８７と、前カバー２０を開いて手動指示マッサージのためのスイッチ群を操作した時に点灯する発光ダイオード８８とが配されている。なお、発光ダイオード８５〜８７は選択されたコースが「上半身」、「首・肩」、「腰」のいずれかを絵表示するためのものである。
【００１０】
この操作器２において、スイッチ群の操作によって指示を与えれば、操作器２内に配したマイクロコンピュータからなる制御回路が対応する信号をマッサージ機構４側の制御回路に送り、マッサージ機構４側の制御回路は受信した信号に応じて上記指示に対応する動作を行わせる。そして、操作したスイッチが自動コースマッサージのためのスイッチ５１〜５３のいずれかである時、制御回路は予め設定してあるプログラム（動作内容を記述したテーブルを含む）に基づいて複数種の施療動作を順次行わせる。図１は「上半身」の選択した場合の自動コース施療のプログラム（テーブル）の内容を示しており、ローリング下降、ローリング上昇、もみ上げ、もみ下げといった複数種の施療動作と、施療子の間隔（幅）、動作位置等がプログラムされているほか、施療動作の強弱度がプログラムされている。なお、図における出代量が強弱度に対応しており、出代量が０の時に最も弱いマッサージとなり、出代量が６の時、最も強いマッサージとなる。
【００１１】
そして、自動コース施療の途中で「やわらか」のスイッチ５４を操作したならば、その時点から、出代量（強弱度）は図１に示すテーブル中で「やわらか」で示した値のものに切り替えられる。従って、「やわらか」のスイッチ５４をオンとした後は、強弱度は下げる方向にシフトされた状態で続行され、出代量が通常の値に戻るのは「やわらか」のスイッチ５４をオフとした時である。「やわらか」のスイッチ５４をオンとした後、自動コースの選択スイッチ５１〜５３を操作してもよく、この場合は初めから弱いモードでの施療動作が実行される。
【００１２】
図４に示すように、テーブル中に通常よりも出代量を大きくした「強」モードも設けておくとともに、スイッチ群５に該モードに対応するスイッチを設けておき、強モードを選択すれば、その時点から通常よりも出代量が大きくて強いマッサージ動作にシフトするようにしておいてもよいのはもちろんである。
【００１３】
【発明の効果】
以上のように本発明においては、自動コース中の施療動作全体についての強弱度を下げる方向にシフトさせるスイッチを設けて、このスイッチを操作すれば自動コース施療動作全体について強弱度が下げられるために、もしくは自動コース中の施療動作全体についての強弱度を一括して上げる方向にシフトするスイッチを備えているために、個々の施療動作毎に強弱度を下げたり上げたりする操作をしなくとも、スイッチを一度操作するだけで、以降は弱いマッサージもしくは強いマッサージを自動コース施療の全般にわたって得ることができるものである。
【００１４】
また、自動コース中の施療動作全体についての強弱度を一括して下げる方向にシフトするスイッチと、自動コース中の施療動作全体についての強弱度を一括して上げる方向にシフトするスイッチとを設けたものでは、強弱度を下げる方向と、強弱度を上げる方向とについて共に個々の施療動作毎に強弱度を変更する操作をしなくてもすむものである。
【図面の簡単な説明】
【図１】本発明の実施の形態の一例における自動コースの動作内容の説明図である。
【図２】同上の全体を示す斜視図である。
【図３】同上の操作器の正面図である。
【図４】同上の他例における自動コースの動作内容の説明図である。
【図１】
0003574888.tif 000002
【図２】
0003574888.tif 000003
【図３】
0003574888.tif 000004
【図４】
0003574888.tif 000005